(57)【要約】      （修正有）【課題】増粘、濁り等の問題の無い、グリセリン変性シリコーンを提供する。【解決手段】下記式(１)で表されるグリセリン変性シリコーン2009256616.tif 000092式（１）中、Ｒ１は、互いに異なっていてよく且つ部分的にハロゲン置換されていてよい、炭素数１〜３０の、アルキル基、アリール基、アラルキル基、アミノアルキル基、又はカルボキシアルキル基であり、Ｒ2は、互いに異なっていてよい、下記式（３）で表されるオルガノシロキシアルキル基であり、2009256616.tif 000093（式（３）中、Ｒ５は炭素数１〜３０の部分的にハロゲン置換されていてよいアルキル基、ｇは１〜５の数、ｈは１〜５００の数である）Ｒ３は、グリセリン由来の基が、ポリオキシアルキレン基を含む基を介して、シリコーン主鎖に結合されている基である。【選択図】なし【特許請求の範囲】
【請求項１】
下記式(１)で表されるグリセリン変性シリコーン
2009256616.tif 000089
[式（１）中、Ｒ１は、互いに異なっていてよく且つ部分的にハロゲン置換されていてよい、炭素数１〜３０の、アルキル基、アリール基、アラルキル基、アミノアルキル基、又はカルボキシアルキル基であり、
Ｒ2は、互いに異なっていてよい、下記式（３）で表されるオルガノシロキシアルキル基であり、
2009256616.tif 000090
（式（３）中、Ｒ５は炭素数１〜３０の部分的にハロゲン置換されていてよいアルキル基、ｇは１〜５の数、ｈは１〜５００の数である）
Ｒ３は、下記式（４）で表される基であり、
2009256616.tif 000091
（式（４）中、Ｑは炭素数２〜２０の２価の基であり、ｒは１〜２００の数、ｓは０〜２００の数であり、Ｒ６は水素原子、炭素数１〜３０のアルキル基、又は−（ＣＯ）−Ｒ７で示される有機基、但しＲ７は１〜３０の炭化水素基、であり、ｔは１〜１０の数である）
ａは０．５〜２．５の数、ｂは０〜１．５の数、ｃは０．００１〜１．５の数である。]
【請求項２】
ｔが１〜３の数である、請求項１記載のグリセリン変性シリコーン。
【請求項３】
ｒが１〜５の数であり、ｓが０である、請求項１または２記載のグリセリン変性シリコーン。
【請求項４】
Ｒ１がメチル基である、請求項１〜３のいずれか１項記載のグリセリン変性シリコーン。
【請求項５】
請求項１〜４のいずれか１項記載のグリセリン変性シリコーンを含有してなる化粧料。
【請求項６】
化粧料が乳化された形態であり、前記グリセリン変性シリコーンを、化粧料総質量に対して、０．０１〜２０質量％で含む請求項５記載の化粧料。
【請求項７】
化粧料が洗浄用化粧料であり、前記グリセリン変性シリコーンを、化粧料総質量に対して、０．０１〜４０質量％で含む請求項５記載の化粧料。
【発明の詳細な説明】
【技術分野】
【０００１】
本発明は、ポリグリセリン変性シリコーン及びこれを含む化粧料に関する。該ポリグリセリン変性シリコーンは水への溶解性、各種油剤に対する乳化性能及び粉体の分散性を有する。
【背景技術】
【０００２】
シリコーン油は、そのさっぱりした感触、安全性等の優れた特性から、化粧料に多用されている。シリコーン油を、水、炭化水素等の油剤、粉体等と、均一に乳化するために、各種の水溶性基で変性したシリコーン界面活性剤が使用されている。代表的なものとして、ポリオキシアルキレン変性シリコーン、長鎖アルキル基を有するポリオキシアルキレン変性シリコーン、多価アルコール変性シリコーン（特許文献１、２）が知られている。
【０００３】
ポリオキシアルキレン変性シリコーンは、水と混合することにより増粘し、化粧料にべたつき感を与える傾向がある。これに対して、多価アルコール変性、なかでもグリセリン変性シリコーンはこのような問題がなく、毛髪化粧料等の感触の良さが要求される化粧料にも配合される（特許文献３、４）。
【０００４】
しかし、グリセリン変性シリコーンは、原料のグリセリンとシリコーンが相溶性でないため、グリセリン鎖の長いものは製造が難しい。また、水を含む化粧料に配合した場合、白濁を生じる場合がある。
【先行技術文献】
【特許文献】
【０００５】
【特許文献１】特開２００３−１４６８３２号公報
【特許文献２】特開２００４−１６９０１５号公報
【特許文献３】特開２００４−２３１６０７号公報
【特許文献４】特開２００５−９７１５１号公報
【発明の概要】
【発明が解決しようとする課題】
【０００６】
そこで、本発明は、上記増粘、濁り等の問題の無い、グリセリン変性シリコーンを提供することを目的とする。
【課題を解決するための手段】
【０００７】
本発明者らは、種々、検討した結果、ポリオキシアルキレン基を介してグリセリル基を備えた下記シリコーンが、従来のグリセリン変性シリコーンとも、ポリエーテル変性シリコーンとも異なる優れた特性を有することを見出した。即ち、本発明は、下記式(１)で表されるグリセリン変性シリコーンである。
【０００８】
【化１】
2009256616.tif 000002
[式（１）中、Ｒ１は、互いに異なっていてよく且つ部分的にハロゲン置換されていてよい、炭素数１〜３０の、アルキル基、アリール基、アラルキル基、アミノアルキル基、又はカルボキシアルキル基であり、
Ｒ2は、互いに異なっていてよい、下記式（３）で表されるオルガノシロキシアルキル基であり、
【０００９】
【化２】
2009256616.tif 000003
（式（３）中、Ｒ５は炭素数１〜３０の部分的にハロゲン置換されていてよいアルキル基、ｇは１〜５の数、ｈは１〜５００の数である）
Ｒ３は、下記式（４）で表される基であり、
【００１０】
【化３】
2009256616.tif 000004
（式（４）中、Ｑは炭素数２〜２０の２価の基であり、ｒは１〜２００の数、ｓは０〜２００の数であり、Ｒ６は水素原子、炭素数１〜３０のアルキル基、又は−（ＣＯ）−Ｒ７で示される有機基、但しＲ７は１〜３０の炭化水素基、であり、ｔは１〜１０の数である）
ａは０．５〜２．５の数、ｂは０〜１．５の数、ｃは０．００１〜１．５の数である。]
また、本発明は上記グリセリン変性シリコーンを含む化粧料である。
【発明の効果】
【００１１】
上記本発明のグリセリン変性シリコーンは親水性が高く、透明性な化粧料を与えることができる。また、油剤の乳化性、粉体の分散性に優れ、経時安定性が高く、皮膚上での伸びが軽く、べたつきの無いしっとりとした感触の化粧料を与えることができる。
【発明を実施するための形態】
【００１２】
本発明のポリグリセリン変性シリコーンは、式（４）で表される基Ｒ３を有することを特徴とする。即ち、グリセリン由来の基が、ポリオキシアルキレン基を含む基を介して、シリコーン主鎖に結合されていることを特徴とする。
【００１３】
【化４】
2009256616.tif 000005
式（４）において、ｒは１〜２００の数、ｓは０〜２００の数である。好ましくは、ｒは１〜４０の数、ｓは０〜４０の数であり、より好ましくは、ｒは１〜１０の数、ｓは０〜９の数である。最も好ましくはｓがｒより小さく、特に好ましくはｓ＝０であり、ｒは１〜５である。なお、式（２）〜（４）における各数値は、ポリマーが分子量分布を有するため、平均値である。
【００１４】
Ｒ６は、水素原子、炭素数１〜３０のアルキル基、又は−(ＣＯ)−Ｒ７で示される有機基であり、ここでＲ７は１〜３０の炭化水素基であり、最も好ましくは、水素原子である。ｔは１〜１０の数であり、好ましくは１〜５の数、より好ましくは１〜３の数である。
【００１５】
なお、上記式(４)において、オキシエチレン基と、オキシプロピレン基は、ブロック状に結合されている必要はなく、ランダム状に結合されていてもよく、いずれの基がグリセリン誘導単位と結合されていてもよい。
【００１６】
Ｑは炭素数２〜２０の２価の基であり、例としては、−(ＣＨ2)2−、−(ＣＨ2)3−、−ＣＨ2ＣＨ(ＣＨ3)ＣＨ2−、−(ＣＨ2)4−、−(ＣＨ2)5−、−(ＣＨ2)6−、−(ＣＨ2)7−、−(ＣＨ2)8−、−(ＣＨ2)2−ＣＨ(ＣＨ2ＣＨ2ＣＨ3)−、−ＣＨ2−ＣＨ(ＣＨ2ＣＨ3)−、−ＣＨ2−ＣＨ(ＣＨ3)−ＣＯＯ(ＣＨ2)2−等を挙げることができる。これらのうち、−(ＣＨ2)2−、−(ＣＨ2)3−、−ＣＨ2ＣＨ(ＣＨ3)ＣＨ2−が好ましく、より好ましくは−(ＣＨ2)3−である。
【００１７】
上記式（１）において、Ｒ1は互いに異なっていてよく且つ部分的にハロゲン置換されていてよい、炭素数１〜３０の、アルキル基、アリール基、アラルキル基、アミノアルキル基、カルボキシアルキル基であり、例えば、メチル基、エチル基、プロピル基、ブチル基、ペンチル基、ヘキシル基、ヘプチル基、オクチル基、ノニル基、デシル基等のアルキル基、シクロペンチル基、シクロヘキシル基等のシクロアルキル基、フェニル基、トリル基等のアリール基、ベンジル基、フェネチル基等のアラルキル基、３−アミノプロピル基、３−［（２−アミノエチル）アミノ］プロピル基などのアミノ置換アルキル基、３−カルボキシプロピル基等のカルボキシ置換アルキル基、トリフロロプロピル基、ノナフロロオクチル基などの一部の水素がハロゲンに置換された基が挙げられる。好ましくは、Ｒ１全体の５０％以上、更に好ましくは７０％以上がメチル基である。
【００１８】
Ｒ１は、本発明の効果を妨げない範囲で、下記式（２）のポリオキシアルキレン基を含む基であってよい。
【００１９】
【化５】
2009256616.tif 000006
式（２）においてＲ4は、水素原子、又は炭素数１〜３０の、部分的にハロゲン置換されていてよい炭化水素基、もしくは炭素数２〜３０のアシル基であり、例えば上記Ｒ１について例示した基が包含される。ｄは０〜１５の整数、好ましくは、ｄは３〜５あるいは１１である。ｅ＝ｆ＝０の場合には、アリルエーテル、ペンテニルエーテル、ウンデセニルエーテル残基となり、Ｒ4の置換基によって、例えばアリルステアリルエーテル残基、ペンテニルベヘニルエーテル残基もしくはウンデセニルオレイルエーテル残基などとなる。
【００２０】
e、ｆは、夫々独立に０〜５０の数、好ましくは２〜３０の数、但しe＋ｆは１〜２００、である。なお、上記(２)のポリオキシアルキレン部分がエチレンオキサイド単位とプロピレンオキサイド単位の両方からなる場合には、これら両単位のブロック重合体、ランダム重合体の何れであっても良い。
【００２１】
式（１）において、Ｒ2は、互いに独立に、下記式（３）
【００２２】
【化６】
2009256616.tif 000007
で表されるオルガノシロキシアルキル基である。ここで、ｈは１〜５００の数であり、好ましくは３〜１００の数であり、より好ましくは３〜３０である。ｈが５００より大きいものは調製が難しい。ｇは１〜５の数であって、ビニル基またはアリル基から誘導することができる点で、好ましくは、２または３である。Ｒ５は、炭素数１〜３０の、ハロゲン置換されていてよいアルキル基であり、上記Ｒ１について例示したものであってよい。
【００２３】
式（１）において、aは、０．５〜２．５、好ましくは、１．０〜２．３の数である。aが、０．５より小さいと、油剤との相溶性に劣り、一方、２．５より大きいと親水性に乏しくなり、いずれの場合も、安定な油中水型乳化物を得難い。ｂは０〜１．５の数であり、１．５より大きいと親水性に乏しくなり、安定な油中水型乳化物を得難くなる。cは０．００１〜１.５の数で、好ましくは、０．０５〜１．０である。ｃが０．００１より小さいと、親水性に乏しくなり、１．５より大きいと、親水性が高くなりすぎるため、いずれの場合にも、安定な油中水型乳化物を得難い。
【００２４】
式(１)で表されるシリコーンの重量平均分子量は、乳化剤として使用する場合には、５００〜２０，０００であることが好ましく、特に１，０００〜１０，０００であることが好ましい。また、皮膚洗浄組成物に使用する場合には、５００〜４，０００が好ましく、より好ましくは２，０００以下、特に１，５００以下であることが好ましい。粉体の分散剤として使用する場合には、５００〜２００，０００であることが好ましく、より好ましくは１０００〜１００，０００、特に好ましくは１０００〜１０，０００である。
【００２５】
また、本発明のシリコーンは、下記式で表される構成単位、即ち、分岐を有していてもよい。
【００２６】
【化７】
2009256616.tif 000008
（Ｒ１は上記で説明したとおりである）
【００２７】
本発明のシリコーンは、主鎖になるオルガノハイドロジェンポリシロキサンのＳｉＨ結合と、式（４）で表される基の末端部に不飽和結合を含む基Ｑ’を有する下記式（Ｉ）で表される化合物を、
【００２８】
【化８】
2009256616.tif 000009
Ｒ１が式（２）で表される基である場合には、式(ＩＩＩ)で表される不飽和基と、ポリオキシアルキレン基を有する化合物を、
【００２９】
【化９】
2009256616.tif 000010
ｂが０より大きい場合には、式（ＩＩ）で表される不飽和基を有するシリコーン化合物を、
【００３０】
【化１０】
2009256616.tif 000011
さらに、Ｒ１が長鎖アルキル基である場合には対応するアルケン化合物を、夫々、白金触媒又はロジウム触媒の存在化に、付加反応させることにより調製することができる。上記式（Ｉ）〜（ＩＩＩ）中のｒ、ｓ、ｔ、ｇ、ｈ、ｄ、ｅ、ｆ、Ｒ１、Ｒ４はそれぞれ前記のものと同じである。主鎖となるオルガノハイドロジェンポリシロキサンとしては、直鎖状、環状のいずれでもよいが、付加反応が円滑に進む点では、直鎖状であることが好ましい。
【００３１】
上式（Ｉ）で示す化合物は、Ｑの末端に二重結合を有する式（IＶ）で表される水酸基含有化合物とグリシドールを、式（IＶ）の化合物に対し０．１〜３モル％のアルカリ触媒存在下で、温度１００度〜１３０度の条件で重合させることによって調製することができる。
【００３２】
【化１１】
2009256616.tif 000012
【００３３】
オルガノハイドロジェンポリシロキサンと、上記式（Ｉ）〜（ＩＩＩ）の化合物、場合によってはアルケン化合物との合計、の混合割合は、ＳｉＨ結合１モルに対して上記各化合物の末端不飽和基の合計のモル比で０．５〜２．０、好ましくは０．８〜１．２である。
【００３４】
上記付加反応で使用する、白金触媒又はロジウム触媒としては、塩化白金酸、アルコール変性塩化白金酸、塩化白金酸−ビニルシロキサン錯体等の触媒が好適に使用される。なお、使用量は触媒量であってよいが、白金又はロジウム量で５０ｐｐｍ以下であることが好ましく特に２０ｐｐｍ以下であることが好ましい。
【００３５】
上記付加反応は、有機溶剤中で行ってもよい。有機溶剤としては、例えばメタノール、エタノール、２−プロパノール、ブタノール等の脂肪族アルコール、トルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素等が挙げられる。付加反応条件としては、有機溶剤の還流下で１〜１０時間反応させることが一般的である。
【００３６】
本発明は、上記本発明のシリコーン（以下「Ａ）シリコーン」という場合がある）を含む化粧料にも関する。その配合量は、用途に応じて異なるが、乳化剤として用いる場合には、化粧料総質量に対して、０．０１〜２０質量％、好ましくは０．１〜１０質量％、洗浄剤として用いる場合には０．１〜４０質量％、好ましくは２〜３０質量％、粉体の分散剤として用いる場合には、粉体に対して０．１〜３０質量％、好ましくは０．５〜１０質量％である。
【００３７】
化粧料としては、口紅、油性ファンデーション等のメークアップ化粧料、皮膚化粧料、頭髪化粧料、外用医薬品、洗顔料、メークアップ除去剤など、外用される種々の化粧料が包含される。
【００３８】
本発明の化粧料は、上記各化粧料に通常配合される種々の成分、例えばＢ）油剤、Ｃ）アルコール性水酸基を有する化合物、Ｄ）水、Ｅ）粉体、Ｆ）着色剤、Ｇ）界面活性剤、Ｈ）架橋型オルガノポリシロキサン、Ｉ）シリコーン樹脂等を含むことができる。以下、順次説明する。
【００３９】
Ｂ）油剤は、固体、半固体、液状であってよい。例えば、天然動植物油脂類及び半合成油脂の例としては、アボガド油、アマニ油、アーモンド油、イボタロウ、エノ油、オリーブ油、カカオ脂、カポックロウ、カヤ油、カルナウバロウ、肝油、キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、スクワレン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。但し、ＰＯＥはポリオキシエチレンを意味する。
【００４０】
炭化水素油としては、オゾケライト、スクワラン、スクワレン、セレシン、パラフィン、パラフィンワックス、ポリエチレンワックス、ポリエチレン・ポリピロピレンワックス、流動パラフィン、プリスタン、ポリイソブチレン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等が挙げられる。
【００４１】
高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
【００４２】
エステル油としては、アジピン酸ジイソブチル、アジピン酸２−ヘキシルデシル、アジピン酸ジ−２−ヘプチルウンデシル、イソノナン酸イソノニル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等；グリセライド油としては、アセトグリセリル、トリイソオクタン酸グリセリル、トリイソステアリン酸グリセリル、トリイソパルミチン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
【００４３】
シリコーン油としては、ジメチルポリシロキサン、メチルフェニルポリシロキサン，メチルハイドロジェンポリシロキサン、ジメチルシロキサン・メチルフェニルシロキサン共重合体等の直鎖或いは分岐状のオルガノポリシロキサン、オクタメチルシクロテトラシロキサン、デカメチルシクロペンタシロキサン、ドデカメチルシクロヘキサシロキサン、テトラメチルテトラハイドロジェンシクロテトラシロキサン、テトラメチルテトラフェニルシクロテトラシロキサン等の環状シロキサン、高重合度のガム状ジメチルポリシロキサン、ガム状のジメチルシロキサン・メチルフェニルシロキサン共重合体等のシリコーンゴム、及びシリコーンゴムの環状シロキサン溶液、トリメチルシロキシケイ酸、トリメチルシロキシケイ酸の環状シロキサン溶液、ステアロキシシリコーン等の高級アルコキシ変性シリコーン、高級脂肪酸変性シリコーン、アルキル変性シリコーン、アミノ変性シリコーン、フッ素変性シリコーン、シリコーン樹脂及びシリコーンレジンの溶解物等が挙げられる。フッ素系油剤としては、パーフルオロポリエーテル、パーフルオロデカリン、パーフルオロオクタン等が挙げられる。
【００４４】
これらの油剤の配合量は、化粧料総質量の１〜９９質量％であってよい。
【００４５】
Ｃ）アルコール性水酸基を有する化合物としては、エタノール、イソプロパノール等の低級アルコール；ソルビトール、マルトース等の糖アルコール；コレステロール、シトステロール、フィトステロール、ラノステロール等のステロール；ブチレングリコール、プロピレングリコール、ジブチレングリコール等の多価アルコールが包含される。
【００４６】
Ｄ）水は、精製水、蒸留水、脱イオン水を使用することができる。その配合量は、化粧料全体の１〜９９質量％の範囲で、剤型に応じて調整することができる。
【００４７】
Ｅ）粉体としては、通常の化粧料に使用されるものであれば、その形状（球状、針状、板状等）や粒子径（煙霧状、微粒子、顔料級等）、粒子構造（多孔質、無孔質等）を問わず、いずれのものも使用することができ、例えば無機粉体、有機粉体、界面活性剤金属塩粉体、有色顔料、パール顔料、金属粉末顔料、天然色素等があげられる。
【００４８】
無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等が挙げられる。
【００４９】
有機粉体としては、ポリアミドパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、テトラフルオロエチレンパウダー、ポリメチルメタクリレートパウダー、セルロースパウダー、シルクパウダー、ナイロンパウダー、１２ナイロンパウダー、６ナイロンパウダー、ジメチルシリコーンを架橋した構造を持つ架橋型シリコーン微粉末、ポリメチルシルセスキオキサンの微粉末、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂等の樹脂粉体、微結晶繊維粉体、デンプン粉末、ラウロイルリジン粉末等が挙げられる。
【００５０】
また、微粒子酸化チタン、微粒子鉄含有酸化チタン、微粒子酸化亜鉛、微粒子酸化セリウム及びそれらの複合体等の紫外線を吸収散乱する粉体も挙げられる。
【００５１】
これらの粉体は本発明の効果を妨げない範囲で、粉体を複合化したものや、一般油剤、アミノ酸、シリコーン油、フッ素化合物、界面活性剤等で処理したもの、加水分解性シリル基やケイ素原子に直接結合した水素原子を有する直鎖状及び／又は分岐状のオルガノポリシロキサン、加水分解性シリル基やケイ素原子に直接結合した水素原子を有し長鎖アルキルで共変性された直鎖状及び／又は分岐状オルガノポリシロキサン、加水分解性シリル基やケイ素原子に直接結合した水素原子を有しポリオキシアルキレンで共変性された直鎖状及び／又は分岐状オルガノポリシロキサン、加水分解性シリル基やケイ素原子に直接結合した水素原子を有するアクリル−シリコーン系共重合体等も使用することができ、必要に応じて一種、又は二種以上用いることができる。粉体処理剤の市販品としては、ＡＥＳ−３０８３、ＫＦ−９９Ｐ、ＫＦ−９９０１、ＫＦ−９９０８、ＫＦ−９９０９、ＫＰ−５７４（何れも信越化学工業（株）製）等がある。
【００５２】
Ｆ）着色剤としては顔料、染料がある。有色顔料の例としては、酸化鉄、水酸化鉄、チタン酸鉄の無機赤色系顔料、γ−酸化鉄等の無機褐色系顔料、黄酸化鉄、黄土等の無機黄色系顔料、黒酸化鉄、カーボンブラック等の無機黒色系顔料、シリカ被覆鉄顔料、マンガンバイオレット、コバルトバイオレット等の無機紫色系顔料、水酸化クロム、酸化クロム、酸化コバルト、チタン酸コバルト等の無機緑色系顔料、紺青、群青等の無機青色系顔料、タール系色素をレーキ化したもの、天然色素をレーキ化したもの、及びこれらの粉体を複合化した合成樹脂粉体等が挙げられる。
【００５３】
パール顔料としては、酸化チタン被覆雲母、酸化チタン被覆マイカ、オキシ塩化ビスマス、酸化チタン被覆オキシ塩化ビスマス、酸化チタン被覆タルク、シリカ被覆雲母チタン、魚鱗箔、酸化チタン被覆着色雲母等が挙げられる。
【００５４】
金属粉末顔料としては、アルミニウムパウダー、カッパーパウダー、ステンレスパウダー等が挙げられる。
【００５５】
タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等；天然色素としては、カルミン酸、ラッカイン酸、カルサミン、ブラジリン、クロシン等が挙げられる。
【００５６】
粉体、着色剤の配合量は、剤型に応じて、化粧料全体の０〜９９質量％とすることができるが、特に粉体化粧料の場合の配合量は、化粧料全体の８０〜９０質量％が好適である。
【００５７】
Ｇ）界面活性剤としては、アニオン性、カチオン性、非イオン性及び両性の界面活性剤等を用いることができる。アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシルアミノ酸系活性剤等が包含される。
【００５８】
カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。
【００５９】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、ポリオキシアルキレン変性オルガノポリシロキサン（特許第２１３７０６２号、特開平７−３３０９０７号公報参照）、ポリオキシアルキレン・アルキル共変性オルガノポリシロキサン（特開昭６１−９０７３２号、特開平９−５９３８６号公報参照）、特開２００１−０５５３０７に記載のシリコーン分岐状ポリオキシアルキレン変性オルガノポリシロキサンおよびシリコーン分岐状ポリオキシアルキレン・長鎖アルキル基共変性オルガノポリシロキサン、ポリグリセリン変性オルガノポリシロキサン（特公昭６２−３４０３９号、特許第２６１３１２４号、特許第２８４４４５３号、特開２００２−１７９７９８号公報参照）、ポリグリセリン・長鎖アルキル基共変性オルガノポリシロキサン、特開２００２−１７９７９８に記載のポリグリセリン変性分岐状オルガノポリシロキサンおよびポリグリセリン・長鎖アルキル基共変性分岐状オルガノポリシロキサン、アルカノールアミド、糖エーテル、糖アミド等が挙げられる。
両性界面活性剤としては、ベタイン、アミノカルボン酸塩、イミダゾリン誘導体、アミドアミン型等が挙げられる。
【００６０】
これらの界面活性剤の中でも、分子中にポリオキシエチレン鎖を有する直鎖或いは分岐状のオルガノポリシロキサン、分子中にポリグリセリン鎖を有する直鎖或いは分岐状のオルガノポリシロキサン、或いはそれぞれのアルキル共変性オルガノポリシロキサンである界面活性剤が好ましい。市販品としては、ＫＦ−６０１１、ＫＦ−６０１２、ＫＦ−６０１３、ＫＦ−６０１５、ＫＦ−６０１６、ＫＦ-６０１７、ＫＦ−６０２８、ＫＦ−６０２８Ｐ、ＫＦ−６０３８、ＫＦ−６１００、ＫＦ−６１０４、ＫＦ−６１０５（何れも信越化学工業（株）製）等がある。また、ＨＬＢとしては１〜１０である界面活性剤が好ましく、配合量は、化粧料全体の０．１〜２０質量％であることが好ましく特に０．２〜１０質量％の範囲が好適である。
【００６１】
本発明の化粧料には、その目的に応じてＨ）１種又は２種以上の架橋型オルガノポリシロキサンを用いることもできる。
【００６２】
Ｈ）架橋型オルガノポリシロキサンは、液状油に対し、自重以上の該液状油を含んで膨潤するものであることが好ましい。液状油としては、Ａ）シリコーン、Ｂ）成分中の液状のシリコーン油、炭化水素油、エステル油、天然動植物油、半合成油等、フッ素系油を用いることができ、たとえば、０．６５ｍｍ2／秒（２５℃）〜１００．０ｍｍ2／秒（２５℃）の低粘度シリコーン油、流動パラフィン、スクワラン、イソドデカン等の炭化水素油やトリオクタノイン等のグリセライド油、イソノナン酸イソトリデシル、Ｎ−アシルグルタミン酸エステル、ラウロイルサルコシン酸エステル等のエステル油、マカデミアンナッツ油などの天然動植物油が挙げられる。
【００６３】
また、この架橋型オルガノポリシロキサンの架橋剤は、分子中に二つ以上のビニル性反応部位を持ち、かつ、ケイ素原子に直接結合した水素原子との間で反応することにより架橋構造を形成するものであることが好ましい。分子中に二つ以上のビニル性反応部位を持つものとしては、分子中に二つ以上のビニル基を有するオルガノポリシロキサン、分子中に二つ以上のアリル基を有するポリオキシアルキレン、分子中に二つ以上のアリル基を有するポリグリセリン、α、ω−アルケニルジエンなどが挙げられる。更に、この架橋型オルガノポリシロキサンは、ポリオキシアルキレン部分、ポリグリセリン部分、アルキル部分、アルケニル部分、アリール部分、及びフルオロアルキル部分からなる群から選択される少なくとも１種の部分を分子中に含有していても良い。これらの架橋型オルガノポリシロキサンは市販されており、例えば、シリコーン油でペースト状にしたＫＳＧ−１５、ＫＳＧ−１６、ＫＳＧ−１８、ＫＳＧ−１６１０、ＵＳＧ−１０３、ＫＳＧ−２１０、ＫＳＧ−２４０、ＫＳＧ−７１０、炭化水素油やトリグリセライド油でペースト状にしたＵＳＧ−１０６、ＫＳＧ−４１、ＫＳＧ−４２、ＫＳＧ−４３、ＫＳＧ−４４、ＫＳＧ−３１０、ＫＳＧ−３２０、ＫＳＧ−３３０、ＫＳＧ−３４０、ＫＳＧ−８１０、ＫＳＧ−８２０、ＫＳＧ−８３０、ＫＳＧ−８４０（何れも信越化学工業（株）製）等がある。
【００６４】
架橋型オルガノポリシロキサンの配合量は、化粧料の総量に対して０．０１〜４０質量％であることが好ましく、特に０．１〜３０質量％であることが好ましい。
【００６５】
本発明の化粧料には、その目的に応じてＩ）シリコーン樹脂を用いることもできる。このシリコーン樹脂はアクリル／シリコーングラフト又はブロック共重合体のアクリルシリコーン樹脂であることが好ましく、さらに、ピロリドン部分、長鎖アルキル部分、ポリオキシアルキレン部分及びフルオロアルキル部分、カルボン酸などのアニオン部分の中から選択される少なくとも１種の部分を分子中に含有するアクリルシリコーン樹脂が好ましい。市販品としては、シリコーン油や炭化水素油、アルコールに溶解したＫＰ−５４１、ＫＰ−５４３、ＫＰ−５４５、ＫＰ−５４９、ＫＰ−５５０、ＫＰ−５７１、ＫＰ−５７５、ＫＰ−５８１（何れも信越化学工業（株）製）等がある。
【００６６】
このシリコーン樹脂は、構成成分としてＭＱ、ＭＤＱ、ＭＴ、ＭＴＱ、ＭＤＴ、ＭＤＴＱと表されるシリコーン網状化合物であることが好ましい。このＭ、Ｄ、Ｔ、Ｑは、それぞれ、Ｒ３ＳｉＯ０．５単位、Ｒ２ＳｉＯ単位、ＲＳｉＯ１．５単位、ＳｉＯ２単位を示すものであり、シリコーン業界では一般に使用されるものである。シリコーン網状樹脂は一般にＭＱレジンあるいはＭＴ、ＭＤＴレジンとして知られており、ＭＤＱ、ＭＴＱ、ＭＤＴＱと示される部分を有することもある。具体的にはデカメチルシクロペンタシロキサンやジメチコンなどの溶解物として市販されているものであり、ピロリドン部分、長鎖アルキル部分、ポリオキシアルキレン部分及びフルオロアルキル部分、アミノ部分の中から選択される少なくとも１種の部分を分子中に含有していても良い。
【００６７】
アクリルシリコーン樹脂やシリコーン網状化合物等のシリコーン樹脂を用いる場合、その配合量は、化粧料の総量に対して０．１〜２０質量％であることが好ましく、特に１〜１０質量％であることが好ましい。
【００６８】
本発明の化粧料には、その目的に応じてＪ）シリコーンワックスを含むこともできる。このシリコーンワックスは、５員環以上のラクトン化合物の開環重合物であるポリラクトンを結合させたポリラクトン変性ポリシロキサンであることが好ましい。
【００６９】
あるいは、このシリコーンワックスは、ピロリドン部分、長鎖アルキル部分、ポリオキシアルキレン部分、フルオロアルキル部分、カルボン酸などのアニオン部分の中から選択された少なくとも一つの部分を分子中に含有するアクリル変性ポリシロキサンであることが好ましい。市販品としては、長鎖アルキル基を有するワックスとして、ＫＰ−５６１Ｐ、ＫＰ−５６２Ｐ（何れも信越化学工業（株）製）等がある。
【００７０】
あるいは、このシリコーンワックスが、オレフィンワックスと１分子１個以上のＳｉＨ結合を有するオルガノハイドロジェンポリシロキサンとを付加反応させることによって得られるシリコーン変性オレフィンワックスであることが好ましい。また、オレフィンワックスは、エチレンと少なくとも１種のジエンを共重合して得られるもの、または、エチレンと炭素数３〜１２のα-オレフィンから選ばれる少なくとも１種のオレフィンと少なくとも１種のジエンを共重合して得られるものであり、このジエンとしては、ビニルノルボルネンが好適である
【００７１】
シリコーンワックスの配合量は、化粧料の総量に対して０．１〜２０質量％であることが好ましく、特に１〜１０質量％であることが好ましい。
【００７２】
更に、本発明の化粧料には、本発明の効果を妨げない範囲で、通常の化粧料に使用される成分、油溶性ゲル化剤、有機変性粘土鉱物、樹脂、制汗剤、紫外線吸収剤、紫外線吸収散乱剤、保湿剤、防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物、毛髪用固形化剤等を添加することができる。
【００７３】
油溶性ゲル化剤としては、アルミニウムステアレート、マグネシウムステアレート、ジンクミリステート等の金属セッケン；Ｎ−ラウロイル−Ｌ−グルタミン酸−α，γ−ジ−ｎ−ブチルアミン等のアミノ酸誘導体；デキストリンパルミチン酸エステル、デキストリンステアリン酸エステル、デキストリン２−エチルヘキサン酸パルミチン酸エステル等のデキストリン脂肪酸エステル；ショ糖パルミチン酸エステル、ショ糖ステアリン酸エステル等のショ糖脂肪酸エステル；フラクトオリゴ糖ステアリン酸エステル、フラクトオリゴ糖２−エチルヘキサン酸エステル等のフラクトオリゴ糖脂肪酸エステル；モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリナイトクレー等の有機変性粘土鉱物等から選ばれるゲル化剤が挙げられる。
【００７４】
制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等から選ばれる制汗剤が挙げられる。
【００７５】
紫外線吸収剤としては、パラアミノ安息香酸等の安息香酸系紫外線吸収剤、アントラニル酸メチル等のアントラニル酸系紫外線吸収剤、サリチル酸メチル、サリチル酸オクチル、サリチル酸トリメチルシクロヘキシル等のサリチル酸系紫外線吸収剤、パラメトキシケイ皮酸オクチル等のケイ皮酸系紫外線吸収剤、２，４−ジヒドロキシベンゾフェノン等のベンゾフェノン系紫外線吸収剤、ウロカニン酸エチル等のウロカニン酸系紫外線吸収剤、４−ｔ−ブチル−４’−メトキシ−ジベンゾイルメタン等のジベンゾイルメタン系紫外線吸収剤、フェニルベンズイミダゾールスルフォン酸等が挙げられ、紫外線吸収散乱剤としては、微粒子酸化チタン、微粒子鉄含有酸化チタン、微粒子酸化亜鉛、微粒子酸化セリウム及びそれらの複合体等、紫外線を吸収散乱する粉体が挙げられ、これらの紫外線吸収散乱剤をあらかじめ油剤に分散させた分散物を用いることもできる。
【００７６】
保湿剤としては、グリセリン、ソルビトール、プロピレングリコール、ジプロピレングリコール、１，３−ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド、卵黄レシチン、大豆レシチン、ホスファチジルコリン、ホスファチジルエタノールアミン、ホスファジチルセリン、ホスファチジルグリセロール、ホスファチジルイノシトール、スフィンゴリン脂質等がある。
【００７７】
防菌防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等がある。
【００７８】
塩類としては無機塩、有機酸塩、アミン塩及びアミノ酸塩が挙げられる。無機塩としては、たとえば、塩酸、硫酸、炭酸、硝酸等の無機酸のナトリウム塩、カリウム塩、マグネシウム塩、カルシウム塩、アルミニウム塩、ジルコニウム塩、亜鉛塩等；有機酸塩としては、例えば酢酸、デヒドロ酢酸、クエン酸、りんご酸、コハク酸、アスコルビン酸、ステアリン酸等の有機酸類の塩；アミン塩及びアミノ酸塩としては、例えば、トリエタノールアミン等のアミン類の塩、グルタミン酸等のアミノ酸類の塩等がある。また、その他、ヒアルロン酸、コンドロイチン硫酸等の塩、アルミニウムジルコニウムグリシン錯体等や、更には、化粧品処方の中で使用される酸−アルカリの中和塩等も使用することができる。
【００７９】
酸化防止剤としては、トコフェロール、ｐ−ｔ−ブチルフェノール、ブチルヒドロキシアニソール、ジブチルヒドロキシトルエン、フィチン酸等、ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等、キレート剤としては、アラニン、エデト酸ナトリウム塩、ポリリン酸ナトリウム、メタリン酸ナトリウム、リン酸等、清涼剤としては、Ｌ−メントール、カンフル等、抗炎症剤としては、アラントイン、グリチルリチン酸及びその塩、グリチルレチン酸及びグリチルレチン酸ステアリル、トラネキサム酸、アズレン等が挙げられる。
【００８０】
美肌用成分としては、胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤、酸化亜鉛、タンニン酸等の皮膚収斂剤、イオウ、チアントロール等の抗脂漏剤等が挙げられる。
【００８１】
ビタミン類としては、ビタミンＡ油、レチノール、酢酸レチノール、パルミチン酸レチノール等のビタミンＡ類、リボフラビン、酪酸リボフラビン、フラビンアデニンヌクレオチド等のビタミンＢ２類、ピリドキシン塩酸塩、ピリドキシンジオクタノエート、ピリドキシントリパルミテート等のビタミンＢ６類、ビタミンＢ１２及びその誘導体、ビタミンＢ１５及びその誘導体等のビタミンＢ類、Ｌ−アスコルビン酸、Ｌ−アスコルビン酸ジパルミチン酸エステル、Ｌ−アスコルビン酸−２−硫酸ナトリウム、 Ｌ−アスコルビン酸リン酸ジエステルジカリウム等のビタミンＣ類、エルゴカルシフェロール、コレカルシフェロール等のビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類、ビタミンＨ、ビタミンＰ、ニコチン酸、ニコチン酸ベンジル、ニコチン酸アミド等のニコチン酸類、パントテン酸カルシウム、Ｄ−パントテニルアルコール、パントテニルエチルエーテル、アセチルパントテニルエチルエーテル等のパントテン酸類、ビオチン等がある。
【００８２】
アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等、核酸としては、デオキシリボ核酸等、ホルモンとしては、エストラジオール、エテニルエストラジオール等が挙げられる。
【００８３】
毛髪固定用高分子化合物としては、両性、アニオン性、カチオン性、非イオン性の各高分子化合物が挙げられ、ポリビニルピロリドン、ビニルピロリドン／酢酸ビニル共重合体等の、ポリビニルピロリドン系高分子化合物、メチルビニルエーテル／無水マレイン酸アルキルハーフエステル共重合体等の酸性ビニルエーテル系高分子化合物、酢酸ビニル／クロトン酸共重合体等の酸性ポリ酢酸ビニル系高分子、（メタ）アクリル酸／アルキル（メタ）アクリレート共重合体、（メタ）アクリル酸／アルキル（メタ）アクリレート／アルキルアクリルアミド共重合体等の酸性アクリル系高分子化合物、Ｎ−メタクリロイルエチル−Ｎ、Ｎ−ジメチルアンモニウム・α−Ｎ−メチルカルボキシベタイン／アルキル（メタ）アクリレート共重合体、ヒドロキシプロピル（メタ）アクリレート／ブチルアミノエチルメタクリレート／アクリル酸オクチルアミド共重合体等の両性アクリル系高分子化合物が挙げられる。また、セルロースまたはその誘導体、ケラチンおよびコラーゲンまたはその誘導体等の天然由来高分子化合物、アルキッド樹脂、エポキシ樹脂、フェノール樹脂、不飽和ポリエステル、アクリル系共重合物、ウレタン樹脂、各種ゴム（NBR、SBR、SIS、SBS、EPDM等）、塩素化ポリエチレン等の合成樹脂も好適に用いることができる。
【００８４】
本発明においての化粧料の形態としては、粉体、油性、油中水型エマルション、水中油型エマルション、非水エマルション、Ｗ／Ｏ／ＷやＯ／Ｗ／Ｏなどのマルチエマルションなどの形態が挙げられ、例えば、化粧水、乳液、クリーム、クレンジング、パック、マッサージ料、美容液、美容オイル、洗浄剤、脱臭剤、ハンドクリーム、リップクリーム、しわ隠し製品等のスキンケア化粧料、メークアップ下地、コンシーラー、白粉、リキッドファンデーション、クリームファンデーション、油性ファンデーション、クリームアイシャドウ、マスカラ、アイライナー、アイブロウ等のメークアップ化粧料、エナメル、アンダーコート、オーバーコート等の美爪料、制汗剤化粧料、日焼け止めオイルや日焼け止め乳液や日焼け止めクリームなどの紫外線防御化粧料等が挙げられる。
【００８５】
また、これらの化粧料の製品形態としては、液状、乳液状、クリーム状、ペースト状、ゲル状、ムース状、スプレー状等、種々の形態を選択することができる。
【００８６】
さらに、これらの化粧料を皮膚、爪、眉毛、あるいは、まつげに塗布または転写させる場合には、指を用いるのも良く、また、ブラシ、チップ、パフ、ヘラ等、種々のアプリケーターを選択し用いることができる。
【実施例】
【００８７】
以下に、実施例を挙げて本発明を更に説明するが、本発明はこれらによって何ら限定されるものではない。尚、特に断りがない限り、以下に記載する「％」は「質量％」を意味する。また、本発明のシリコーンの実施例番号はローマ数字で、化粧料組成物の実施例番号はアラビア数字で表した。
【００８８】
＜実施例Ｉ＞
反応器に、下記式(５)で示されるオルガノハイドロジェンポリシロキサン２５ｇと、下記式（６）のポリオキシアルキレン基含有化合物を８２ｇ、及びイソプロピルアルコール６４ｇを混合し、これに塩化白金酸３％のエタノール溶液を０．０３ｇ加え、溶剤の還流下８時間反応させた。次に反応液を減圧留去し、ろ過することによって下記式(７)で表されるシリコーンを得た。該シリコーンは、褐色透明な液状物質であり、２５℃における、粘度が６３０００ｍｍ２／ｓ、屈折率が１．４７０であった。
【００８９】
【化１２】
2009256616.tif 000013
【００９０】
【化１３】
2009256616.tif 000014
【００９１】
【化１４】
2009256616.tif 000015
【００９２】
＜実施例ＩＩ＞
反応器に、下記式(８)で示されるオルガノハイドロジェンポリシロキサン１６０ｇと、上記平均組成式（６）のポリオキシアルキレン基含有化合物を５１ｇ、及びエタノール１４０ｇを混合し、これに塩化白金酸３％のエタノール溶液を０．０４ｇ加え、溶剤の還流下８時間反応させた。反応液を減圧留去し、ろ過することによって下記式(９)で表されるシリコーンを得た。
該シリコーンは、淡褐色透明な液状物質であり、２５℃における、粘度が９６００００ｍｍ２／ｓ、屈折率が１．４２２であった。
【００９３】
【化１５】
2009256616.tif 000016
【００９４】
【化１６】
2009256616.tif 000017
（Ｒ＊１は上述のとおり）
【００９５】
＜実施例ＩＩＩ＞
反応器に、下記平均組成式(１０)で示されるオルガノハイドロジェンポリシロキサン３３８ｇと、下記式（１１）のポリオキシアルキレン基含有化合物９９５ｇ及びイソプロピルアルコール４０２ｇを混合し、これに塩化白金酸３％のエタノール溶液を０．２ｇ加え、溶剤の還流下８時間反応させた。反応液を減圧留去し、下記式(１２)のシリコーンを得た。該シリコーンは、淡褐色透明な液状物質であり、２５℃における粘度が、１８００ｍｍ２/ｓ、屈折率が１．４６０であった。
【００９６】
【化１７】
2009256616.tif 000018
【００９７】
【化１８】
2009256616.tif 000019
【００９８】
【化１９】
2009256616.tif 000020
【００９９】
＜実施例ＩＶ＞
反応器に、上記平均組成式(８)で示されるオルガノハイドロジェンポリシロキサン１９２ｇと、上記平均組成式（１１）のポリオキシアルキレン基含有化合物を７３ｇ、及びエタノール１８５ｇを混合し、これに塩化白金酸３％のエタノール溶液を０．０４ｇ加え、溶剤の還流下８時間反応させた。反応液を減圧留去し、ろ過することによって下記式(１３)で表されるシリコーンを得た。
該シリコーンは、淡褐色透明な液状物質であり、２５℃における、粘度が３００００ｍｍ２／ｓ、屈折率が１．４２３であった。
【０１００】
【化２０】
2009256616.tif 000021
（Ｒ＊２は上述のとおり）
【０１０１】
＜実施例Ｖ＞
反応器に、下記式(１４)で示されるオルガノハイドロジェンポリシロキサン６５．６ｇと、下記式(１５)で示されるオルガノポリシロキサン２４ｇ、１-ドデセン１０．８ｇ、式（１１）のポリオキシアルキレン基含有化合物２７ｇ、イソプロピルアルコール３０ｇ、塩化白金酸３％のエタノール溶液０．０３ｇを添加し、溶剤の還流下５時間反応させた。
【０１０２】
【化２１】
2009256616.tif 000022
【０１０３】
【化２２】
2009256616.tif 000023
【０１０４】
次いで反応液を減圧留去し下記式(１６)で表されるシリコーンを得た。該シリコーンは、淡黄色透明な液状物質であり、２５℃における、粘度が２５００ｍｍ２／ｓ、屈折率が１．４３３であった。
【０１０５】
【化２３】
2009256616.tif 000024
（Ｒ＊２は上述のとおり）
【０１０６】
＜実施例ＶＩ＞
反応器に、下記式(１７)で示されるオルガノハイドロジェンポリシロキサン１２０ｇと、上記式(１５)で示されるオルガノポリシロキサン８４ｇ、１-ドデセン５１ｇ、上記式（１１）のポリオキシアルキレン基含有化合物６０ｇ、イソプロピルアルコール９５ｇ、塩化白金酸３％のエタノール溶液０．０５ｇを添加し、溶剤の還流下５時間反応させた。反応液を減圧留去し下記式(１８)で表されるシリコーンを得た。該シリコーンは、淡黄色透明な液状物質であり、２５℃における、粘度が７１０ｍｍ２／ｓ、屈折率が１．４３２であった。
【０１０７】
【化２４】
2009256616.tif 000025
【０１０８】
【化２５】
2009256616.tif 000026
（Ｒ＊２及びＲ＊３は上述のとおり）
【０１０９】
＜実施例ＶＩＩ＞
反応器に、下記式(１９)で示されるオルガノハイドロジェンポリシロキサン２１７．６ｇと、上記式（１１）のポリオキシアルキレン基含有化合物６０ｇ、イソプロピルアルコール１１０ｇ、塩化白金酸３％のエタノール溶液０．０４ｇを添加し、溶剤の還流下５時間反応させた。次いで反応液を減圧留去し下記式(２０)で表されるシリコーンを得た。該シリコーンは、淡黄色透明な液状物質であり、２５℃における、粘度が７１０ｍｍ２/ｓ、屈折率が１．４１７であった。
【０１１０】
【化２６】
2009256616.tif 000027
（ｏ＋ｐ＋ｑ＝５５（平均値）、Ｘ,Ｙ,Ｚ中、１つはＭｅ、２つはＨである）
【０１１１】
【化２７】
2009256616.tif 000028
（ｏ＋ｐ＋ｑ＝５５（平均値）、Ｘ＊、Ｙ＊、Ｚ＊中、１つはＭｅ、２つは上記Ｒ＊２である）
【０１１２】
＜比較例Ｉ＞
反応器に、上記式(５)で示されるオルガノハイドロジェンポリシロキサン５０ｇと、ポリグリセリンアリルエーテル９７ｇ、及びイソプロピルアルコール９０ｇを混合し、これに塩化白金酸３％のエタノール溶液を０．０３ｇ加え、溶剤の還流下８時間反応させた。次に、０．００５Ｎの塩酸水溶液を２３ｇ添加して、未反応のアリルエーテル基を加水分解し、５％重曹水約０．３ｇで中和した。反応液を減圧留去し、ろ過することによって下記式(２１)で表されるシリコーンを得た。該シリコーンは、淡黄色透明な液状物質であり、２５℃における、粘度が４３０，０００ｍｍ２／ｓ、屈折率が１．４６９であった。
【０１１３】
【化２８】
2009256616.tif 000029
【０１１４】
＜比較例ＩＩ＞
反応器に、上記式(８)で示されるオルガノハイドロジェンポリシロキサン１６０ｇと、ポリグリセリンアリルエーテルを３０ｇ、及びエタノール１３３ｇを混合し、これに塩化白金酸３％のエタノール溶液を０．０４ｇ加え、溶剤の還流下８時間反応させた。反応液を減圧留去し、ろ過することによって下記式(２２)で表されるシリコーンを得た。該シリコーンは、白濁粘調物質であり、２５℃における、粘度が１３００００ｍｍ２／ｓ、屈折率が１．４１７であった。
【０１１５】
【化２９】
2009256616.tif 000030
（Ｒ＊５は上述のとおり）
【０１１６】
＜比較例ＩＩＩ＞
反応器に、上記式(１０)で示されるオルガノハイドロジェンポリシロキサン３６０ｇと、下記式（２３）のポリオキシアルキレン基含有化合物を７００ｇ、及びイソプロピルアルコール３２０ｇを混合し、これに塩化白金酸３％のエタノール溶液を０．２ｇ加え、溶剤の還流下８時間反応させた。次に、反応液を減圧留去し下記式(２４)で表されるシリコーンを得た。
該シリコーンは、淡黄色透明な液状物質であり、２５℃における、粘度が５１０ｍｍ２/ｓ、屈折率が１．４５４であった。
【０１１７】
【化３０】
2009256616.tif 000031
【０１１８】
【化３１】
2009256616.tif 000032
【０１１９】
＜比較例ＩＶ＞
反応器に、上記式(８)で示されるオルガノハイドロジェンポリシロキサン１３０ｇと、上記式（２３）のポリオキシアルキレン基含有化合物４０ｇ、及びイソプロピルアルコール４３ｇを混合し、これに塩化白金酸３％のエタノール溶液を０．０３ｇ加え、溶剤の還流下８時間反応させた。反応液を減圧留去し、ろ過することによって下記式(２５)で表されるシリコーンを得た。該シリコーンは、無色透明液状物質であり、２５℃における、粘度が８２０ｍｍ２/ｓ、屈折率が１．４１９であった。
【０１２０】
【化３２】
2009256616.tif 000033
（Ｒ＊６は上述のとおり）
【０１２１】
＜比較例Ｖ＞
反応器に、上記式(５)で示されるオルガノハイドロジェンポリシロキサン１６５ｇと、上記式（２３）のポリオキシアルキレン基含有化合物を２３０ｇ、グリセリンモノアリルエーテル６６ｇを、イソプロピルアルコール２８０ｇを混合し、これに塩化白金酸３％のエタノール溶液を０．１４ｇ加え、溶剤の還流下１６時間反応させた。次に、反応液を減圧留去し下記式(２６)で表されるシリコーンを得た。
該シリコーンは、黄濁色の液状物質であり、２５℃における、粘度が７９０ｍｍ２/ｓ、屈折率が１．４４８であった。
【０１２２】
【化３３】
2009256616.tif 000034
（Ｒ＊５及びＲ＊６は上述のとおり）
【０１２３】
＜比較例ＶＩ＞
反応器に、下記平均組成式(２７)で示されるオルガノハイドロジェンポリシロキサン９８５ｇと、上記式（２３）のポリオキシアルキレン基含有化合物１４００ｇ、グリセリンモノアリルエーテル３００ｇ及びエタノール１４００ｇを混合し、これに塩化白金酸３％のエタノール溶液を０．５ｇ加え、溶剤の還流下１２時間反応させた。反応液を減圧留去し、下記式(２８)のシリコーンを得た。該シリコーンは、淡褐色透明な液状物質であり、２５℃における、粘度が３２００ｍｍ２/ｓ、屈折率が１．４２２であった。
【０１２４】
【化３４】
2009256616.tif 000035
【０１２５】
【化３５】
2009256616.tif 000036
（Ｒ＊６及びＲ＊７は上述のとおり）
【０１２６】
＜水溶性の評価＞
実施例Ｉ、ＩＩＩ、比較例Ｉ、ＩＩＩ、Ｖのシリコーンを用いて、濃度１％の水溶液を調整し、各測定温度にて２４時間静置させた後の外観を目視観察して評価した。結果を表１に示す。表１において、各記号は以下の意味である。
○：透明、△：微濁〜白濁、×：分離
【０１２７】
また各水溶液を皮膚に塗布した際の官能評価を上記の基準に従って行った。結果を表２に示す。
塗布時および塗布後のべたつき
2009256616.tif 000037
塗布時および塗布後の密着感
2009256616.tif 000038
塗布時および塗布後のきしみ
2009256616.tif 000039
【０１２８】
【表１】
2009256616.tif 000040
【０１２９】
【表２】
2009256616.tif 000041
上表から分かるように、実施例Ｉ、ＩＩＩは、比較例Ｉ、ＩＩＩ、Ｖに比べて、水溶性のみならず熱安定性にも優れていた。また、皮膚に塗布した際の感触も良好であった。
【０１３０】
＜実施例１：Ｗ／Ｏエマルション、乳化安定性の評価＞
下記表３の配合にてＷ／Ｏエマルションを調製した。
【０１３１】
【表３】
2009256616.tif 000042
【０１３２】
（評価）
得られた乳化物の塗布時のべたつき、密着感、きしみのなさ、塗布後のべたつき、密着感、きしみのなさについて前記した基準で評価を行ない、その平均で判定した。それらの結果を表４に示す。
【０１３３】
【表４】
2009256616.tif 000043
【０１３４】
得られたエマルションを３５℃の恒温室にて所定時間保存した後に回転粘度を測定した。調製直後の粘度を１としたときの、所定時間後の粘度の割合を表５に示す。
【０１３５】
【表５】
2009256616.tif 000044
上表から、比較例１、２のように側鎖にポリエーテル基を含まないシリコーンから調製したエマルションでは、１日後に急激な粘度低下が起こるのに対して、実施例１では、数日後でも安定性を有していることが確認された。
【０１３６】
＜実施例２，３：サンスクリーン剤、粉体分散性の評価＞
表６に示すサンスクリーン剤を調製し、その品質について評価した。
【０１３７】
【表６】
2009256616.tif 000045
（注１）ＫＳＧ−２１０（信越化学(株)社製）
（注2）ＫＦ−６０１９（信越化学(株)社製）
酸化亜鉛分散物
下記のシリコーン化合物１０ｇをデカメチルシクロペンタシロキサン４０ｇに溶解し、酸化亜鉛（ＭＺ５０５Ｓ、テイカ（株）社製）５０ｇを加え、ビーズミルを用いて分散させ、酸化亜鉛分散物を得た。
（ａ）実施例ＩＩのシリコーン化合物
（ｂ）実施例ＩＶのシリコーン化合物
（ｃ）比較例ＩＩのシリコーン化合物
（製造方法）
Ａ：成分１〜５を均一に混合した。
Ｂ：成分６〜８を均一に混合した。
Ｃ：ＡにＢを添加して乳化した。
Ｄ：Ｃに９〜１２を加えサンスクリーン剤を得た。
【０１３８】
表６の品質の評価は次のようにして行なった。
粉体の分散安定性
サンスクリーン剤を室温にて１ヶ月静置した後、粉体の凝集性を観察し、下記基準より判定した。
評価基準
2009256616.tif 000046
【０１３９】
使用感評価
得られたサンスクリーン剤について、５０名の女性パネラーに、さらさら感、伸び、化粧膜の透明性、肌のべたつき感、日焼け止め効果について、下記基準により５段階に点数付けし、平均点を取って評価した。
評価基準
2009256616.tif 000047
評価基準
2009256616.tif 000048
【０１４０】
表６の結果から明らかなように、本発明の実施例２、３は粉体の凝集がなく、分散性に優れていた。また、使用感に関してもいずれの項目で良好でもあった。それに対し、側鎖にポリエーテル基を含まないシリコーンで処理された粉体を含む比較例３は、僅かに粉体の凝集がみられ、化粧膜の透明性が劣り、使用感においても充分な感触を得ることができなかった。
【０１４１】
以下、各種化粧料の実施例を示す。以下において、経時変化は、化粧料を密閉容器に入れて２５℃の恒温室に一ヶ月間静置させた後の外観観察で評価した。
【０１４２】
実施例４：クリーム
2009256616.tif 000049
(注１)セリサイトに対し２％のKF-９９０９（信越化学工業(株)社製）を添加後加熱処理した
（注２）KSP−１００（信越化学工業(株)社製）
【０１４３】
（製造方法）
A：成分１〜６を混合した。
B：成分７〜１２を混合溶解した。
C：AをBに加えて攪拌混合した。
以上のようにして得られたクリームは、キメが細かく、のび広がりが軽くべたつきや油っぽさがない上しっとりとしてみずみずしく、さっぱりとした使用感を与えると共に、化粧持ちも非常に良く、温度変化や経時による変化がなく安定性に優れていることが分かった。
【０１４４】
実施例５：Ｏ／Ｗクリーム
2009256616.tif 000050
(注１) KSG−１６（信越化学工業(株)社製）
(注２)メトローズSM−４０００（信越化学工業(株)社製）
(注３)セピゲル３０５(SEPIC製)
(注４)マイカチタンに対し２％の（実施例ＩＩ）を添加後、加熱処理したもの
【０１４５】
（製造方法）
A：成分３〜１０を混合した。
B：成分１〜２を混合溶解し、Aに加えて攪拌乳化した。
以上のようにして得られた水中油型クリームは、キメが細かく、のび広がりが軽くべたつきや油っぽさがない上しっとりとしてみずみずしく、さっぱりとした使用感を与えると共に、化粧持ちも非常に良く、温度変化や経時による変化がなく安定性に優れていることが分かった。
【０１４６】
実施例６：Ｏ／Ｗクリーム
2009256616.tif 000051
(注１) KSG−４３（信越化学工業(株)社製）
（注２）KSＧ−１８A（信越化学工業(株)社製）
（注３）メトローズSM−４０００（信越化学工業(株)社製）
（注４）セピゲル３０５（SEPIC製）
【０１４７】
（製造方法）
A：成分３、５〜１２を混合した。
B：成分１、２、４を混合した。
C：AをBに加えて攪拌乳化した。
以上のようにして得られた水中油型クリームは、キメが細かく、のび広がりが軽くべたつきや油っぽさがない上しっとりとしてみずみずしく、さっぱりとした使用感を与えると共に、化粧持ちも非常に良く、温度変化や経時による変化がなく安定性に優れていることが分かった。
【０１４８】
実施例７：Ｏ／Ｗクリーム
2009256616.tif 000052
(注１) KSG−４２（信越化学工業(株)社製）
(注２) KSG−１６（信越化学工業(株)社製）
(注３) KF−６０１１（信越化学工業(株)社製）
(注４)セピゲル３０５(SEPIC製)
【０１４９】
（製造方法）
A：成分１〜４を混合した。
B：成分５〜１２を混合溶解した。
C：AをBに加えて攪拌乳化した。
以上のようにして得られた水中油型クリームは、キメが細かく、のび広がりが軽くべたつきや油っぽさがない上しっとりとしてみずみずしく、さっぱりとした使用感を与えると共に、化粧持ちも非常に良く、温度変化や経時による変化がなく安定性に優れていることが分かった。
【０１５０】
実施例８：Ｏ／Ｗ型UVカットクリーム
2009256616.tif 000053
(注１) KSG−１８A（信越化学工業(株)社製）
(注２) KSG−４３（信越化学工業(株)社製）
(注３) SPD-T５（信越化学工業(株)社製）
(注４) KF−６０１１（信越化学工業(株)社製）
(注５)セピゲル３０５（SEPIC社製）
(注６)メトローズSM−４０００（信越化学工業(株)社製）
【０１５１】
（製造方法）
A：成分５〜８及び１０、１２を混合した。
B：成分１〜３を混合し、Aに加えて攪拌乳化した。
C：成分４をBに加え、さらに成分９、１１を加えて均一にした。
以上のようにして得られたUVカットクリームは、のびが軽くさっぱりとして、べたつきや油感がなく、透明感があり、化粧持ちも良いものであった。また、温度変化や経時による変化がなく、使用性も安定性に非常に優れていた。
【０１５２】
実施例９：洗顔料
2009256616.tif 000054
（注１）ペグノールＬ−６（東邦化学工業(株)社製）
（注２）ユニセーフＡ−ＬＭ（日本油脂(株)社製）
【０１５３】
（製造方法）
A：成分１〜７及び９を加えて均一に溶解した。
B：Aに成分８を加えて洗顔料を得た。
以上のようにして得られた洗顔料を用いたところ、化粧料や皮脂汚れとのなじみが良く、汚れ落ちも非常に良好で、使用時の伸びも軽く、後肌もしっとりとしていて、使用性も使用感も非常に良い洗顔料であった。
【０１５４】
実施例１０：メーキャップ除去剤
2009256616.tif 000055
【０１５５】
（製造方法）
A：成分１〜７及び９を加えて均一に溶解した。
B：Aに成分８を加えてメーキャップ除去剤を得た。
以上のようにして得られたメーキャップ除去剤を用いてファンデーションを除去したところ、ファンデーションとのなじみも良く汚れ落ちも非常に良好で、使用時の伸びも軽く、後肌もしっとりとしていて使用性も使用感も非常に良いメークアップ除去剤であった。
【０１５６】
実施例１１：サンタンクリーム
2009256616.tif 000056
（注１）ＫＰ−５６１Ｐ(信越化学工業（株）社製)
【０１５７】
（製造方法）
Ａ：成分１〜７及び１６、１７を加熱溶解した。
Ｂ：成分１５と１９の一部を加熱攪拌後、成分８〜１２を添加し分散処理した。
Ｃ：成分１３、１４及び１９の残部を均一溶解し、Ｂと混合した。
Ｄ：攪拌下、ＡにＣを添加して乳化し、冷却して成分１８を添加しサンタンクリームを得た。
以上のようにして得られたサンタンクリームは、きめが細かく、のび広がりが軽くてべたつきや油っぽさがなく、しっとりとしてみずみずしく、さっぱりとした使用感を与えた。また、経時変化がなく、安定性にも優れている事が確認された。
【０１５８】
実施例１２：サンカットクリーム
2009256616.tif 000057
（注１）ＫＰ−５４５（信越化学工業(株)社製）
（注２）ＫＳＧ−２４０（信越化学工業(株)社製）
（注３）酸化亜鉛に対し５％のAES−８３０３(信越化学工業(株)社製)を添加後、加熱処理したもの
【０１５９】
（製造方法）
Ａ：成分１の一部に成分２を加えて均一にし成分７を添加してビーズミルにて分散した。
Ｂ：成分１の残部と成分３〜６を均一に混合した。
Ｃ：成分８〜１０及び１２を均一に混合した。
Ｄ：ＢにＣを加えて乳化し、Ａ及び成分１１を添加してサンカットクリームを得た。
以上のようにして得られたサンカットクリームは、ベタツキがなく、のび広がりも軽く、しかも密着性に優れ、おさまりも良く、つやのある仕上がりで化粧持ちも非常に優れており、温度や経時に対しても非常に安定であることが確認された。
【０１６０】
実施例１３：サンカット乳液
2009256616.tif 000058
（注１）ＫＳＧ−２１０（信越化学工業(株)社製）
（注２）ＳＰＤ−Ｔ５（信越化学工業(株)社製）
（注３）ＳＰＤ−Ｚ５（信越化学工業(株)社製）
【０１６１】
（製造方法）
Ａ：成分１〜５を均一に混合した。
Ｂ：成分８〜１０及び１２を混合し、溶解した。
Ｃ：ＡにＢを加えて乳化し、成分６、７及び１１を添加してサンカット乳液を得た。
以上のようにして得られたサンカット乳液は、ベタツキがなく、のび広がりも軽く、しかも密着性に優れ、おさまりも良く、つやのある仕上がりで化粧持ちも非常に優れており、温度や経時に対しても非常に安定であることが確認された。
【０１６２】
実施例１４：サンカット乳液
2009256616.tif 000059
（注１）ＫＳＧ−７１０（信越化学工業(株)社製）
（注２）ＫＳＧ−１５（信越化学工業(株)社製）
（注３）ＳＰＤ−Ｚ６（信越化学工業(株)社製）
（注４）ＳＰＤ−Ｔ５（信越化学工業(株)社製）
【０１６３】
（製造方法）
Ａ：成分１〜６を均一に混合した。
Ｂ：成分９〜１１及び１３を混合し、溶解した。
Ｃ：ＡにＢを加えて乳化し、成分７、８及び１２を添加してサンカット乳液を得た。
以上のようにして得られたサンカット乳液は、ベタツキがなく、のび広がりも軽く、しかも密着性に優れ、おさまりも良く、つやのある仕上がりで化粧持ちも非常に優れており、温度や経時に対しても非常に安定であることが確認された。
【０１６４】
実施例１５：Ｗ／Ｏハンドクリーム
2009256616.tif 000060
（注１）アミン当量７０，０００ｇ／モル
【０１６５】
（製造方法）
Ａ：成分１、３を加熱混合し、成分２、４，５、６および１０を加熱添加した。
Ｂ：成分７〜９及び１２を加熱混合した。
Ｃ：ＢをＡに徐添して乳化した後冷却し、成分１１を加えてハンドクリームを得た。
以上のようにして得られたハンドクリームはべたつきがなく、伸び広がりも軽く、しかもしっとりとした使用感を有し、水仕事から効果的に皮膚を保護し、また、経時変化がなく、安定性にも優れている事が確認された。
【０１６６】
実施例１６：Ｏ／Ｗハンドクリーム
2009256616.tif 000061
(注１)ＫＰ−５４５（信越化学工業(株)社製）
(注２)ＫＰ−５６１P（信越化学工業(株)社製）
【０１６７】
（製造方法）
A：成分１〜９を混合、加熱溶解した。
B：成分１０〜１２及び１４を混合、加熱した。
Ｃ：ＡにＢを加えて乳化し、冷却した後、成分１３を添加してＯ／Ｗハンドクリームを得た。
以上のようにして得られた水中油型クリームは、ベタツキがなく、のび広がりも軽く、しかも、密着性に優れ、おさまりも良く、つやのある仕上がりで化粧持ちも非常に優れており、温度変化や経時による変化がなく安定性に優れていることが分かった。
【０１６８】
実施例１７：保湿クリーム
2009256616.tif 000062
（注１）ＫＰ−７００２（信越化学工業(株)社製）
（注２）ＫＭＰ−５９０（信越化学工業(株)社製）
（注３）アエロジルＲ９７２（日本アエロジル(株)社製）
【０１６９】
（製造方法）
A：成分１〜５及び成分８、９を均一に混合し、成分６〜７を加えて均一に分散した。
B：成分１０〜１３及び１５を加えて溶解した。
Ｃ：ＢをＡに徐添して乳化した後冷却し、成分１４を加えて保湿クリームを得た。
以上のようにして得られた保湿クリームは、のび広がりも軽く、みずみずしくさっぱりとしてべたつきがなくしっとりとし、温度や経時による変化もない、使用性及び安定性にも非常に優れていることが確認された。
【０１７０】
実施例１８：乳液
2009256616.tif 000063
（注１）ＫＭＰ−５９０（信越化学工業(株)社製）
（注２）アエロジルＲ９７２（日本アエロジル(株)社製）
【０１７１】
（製造方法）
A：成分１〜５を均一に混合し、成分６〜７を加えて均一に分散した。
B：成分１４に成分８〜１０を加えて溶解し、更に成分１１、１２を均一に混合した後添加した。
Ｃ：ＢをＡに徐添して乳化した後冷却し、成分１３を加えて乳液を得た。
以上のようにして得られた乳液は、のび広がりも軽く、さらっとしてべたつきがなくしっとりとし、温度や経時による変化もない、使用性及び安定性にも非常に優れていることが確認された。
【０１７２】
実施例１９：美容液
2009256616.tif 000064
【０１７３】
（製造方法）
A：成分１〜４を混合した。
B：成分５〜８及び１０を均一溶解した。
C：攪拌下、ＡにＢを徐添して乳化し、成分９を添加し美容液を得た。
以上のようにして得られた美容液は、きめが細かく、のび広がりが軽く、ベタツキがなく、しっとりとしてみずみずしく、また、温度変化や経時による変化がなく非常に安定性にも優れていることが確認された。
【０１７４】
実施例２０：Ｏ／Ｗ／Ｏ型乳液
2009256616.tif 000065
（注１）ＫＳＧ−２１０（信越化学工業(株)社製）
（注２）ＫＳＧ−４３（信越化学工業(株)社製）
【０１７５】
（製造方法）
A：成分１〜４を均一に混合した。
B：成分５〜９を加熱混合し、均一にした。
Ｃ：成分１０〜１２を加熱混合した。
Ｄ：Ｂを攪拌しながらＣを加えて乳化し、冷却した。
Ｅ：Ａを攪拌しながらＤを加えて乳化した。
以上のようにして得られた乳液は、のびが軽くさっぱりとして、べたつきや油感がなく、透明感があり化粧持ちが良く、温度や経時による変化もなく、使用性も安定性も非常に優れているＯ／Ｗ／Ｏ型乳液であった。
【０１７６】
実施例２１：Ｏ／Ｗ／Ｏ型乳液
2009256616.tif 000066
（注１）ＫＳＧ−３１０（信越化学工業(株)社製）
（注２）ＫＳＧ−４１（信越化学工業(株)社製）
【０１７７】
（製造方法）
A：成分１〜４を均一に混合した。
B：成分５〜９を加熱混合し、均一にした。
Ｃ：成分１０〜１２を加熱混合した。
Ｄ：Ｂを攪拌しながらＣを加えて乳化し、冷却した。
Ｅ：Ａを攪拌しながらＤを加えて乳化した。
以上のようにして得られた乳液は、のびが軽くさっぱりとして、べたつきや油感がなく、透明感があり化粧持ちが良く、温度や経時による変化もなく、使用性も安定性も非常に優れているＯ／Ｗ／Ｏ型乳液であった。
【０１７８】
実施例２２：Ｏ／Ｗ／Ｏ型リキッドファンデーション
2009256616.tif 000067
（注１）ＫＳＧ−２１０（信越化学工業(株)社製）
【０１７９】
（製造方法）
A：成分１〜４を均一に混合した。
B：成分５〜１０を加熱混合し、均一にした。
Ｃ：成分１１〜１３を加熱混合した。
Ｄ：Ｂを攪拌しながらＣを加えて乳化し、冷却した。
Ｅ：Ａを攪拌しながらＤを加えて乳化した。
以上のようにして得られたリキッドファンデーションは、のびが軽くさっぱりとして、べたつきや油感がなく、透明感があり化粧持ちが良く、温度や経時による変化もなく、使用性も安定性も非常に優れているＯ／Ｗ／Ｏ型リキッドファンデーションであった。
【０１８０】
実施例２３：日焼け止め乳液
2009256616.tif 000068
（注１）KSP−１００（信越化学工業(株)社製）
（注２）アエロジルＲ９７２（日本アエロジル(株)社製）
【０１８１】
（製造方法）
Ａ：成分１の一部に成分５〜６を均一に溶解した。
Ｂ：成分１の残部と成分２〜４を混合し、Ａを加え、更に成分７〜８を混合して均一に分散した。
Ｃ：成分１３に成分９を加えて溶解し、更に均一に混合した成分１０、１１を添加した。
Ｄ：ＣをＢに徐添して乳化し、成分１２を加えて日焼け止め乳液を得た。
以上のようにして得られた日焼け止め乳液は、のび広がりが軽い上、さらっとしてべたつきのないものであった。また、経時変化がなく安定性にも優れている事が確認された。
【０１８２】
実施例２４：液状ファンデーション
2009256616.tif 000069
（注１）ＫＦ−６０２８（信越化学工業(株)社製）
（注２）アエロジルＲＹ２００（日本アエロジル(株)社製）
【０１８３】
（製造方法）
Ａ：成分８〜１２を均一に混合した。
Ｂ：成分１〜７及び１６を７０℃で加熱混合した後、Ａを加えて均一に分散混合した。
Ｃ：成分１３〜１８を７０℃に加温、Ｂに添加して乳化し、冷却して成分１７を加え、液状ファンデーションを得た。
以上のようにして得られた液状ファンデーションは、べたつきがなくのび広がりも軽い上、さっぱりとした清涼感を与え、乳化状態が良好で、化粧持ちにも優れたものであった。また、経時変化がなく、安定性にも優れている事が確認された。
【０１８４】
実施例２５：液状ファンデーション
2009256616.tif 000070
（注１）ＦＬ−５（信越化学工業（株）社製）
（注２）ＫＭＰ−５９０（信越化学工業（株）社製）
（注３）パーフルオロアルキルエチルリン酸ジエタノールアミン塩にて５％被覆したもの
【０１８５】
（製造方法）
Ａ：成分７〜１３を均一に混合した。
Ｂ：成分１〜６を７０℃で加熱混合し、Ａを加えて均一に分散混合した。
Ｃ：成分１４〜１７及び１９を４０℃に加温、Ｂに徐添して乳化し、冷却した後更に成分１８を加え、液状ファンデーションを得た。
以上のようにして得られた液状ファンデーションは、べたつきがなく、のび広がりも軽く、しかも、さっぱりとした高い清涼感を有し、温度や経時変化による変化がなく、安定性にも優れている事が確認された。
【０１８６】
実施例２６：リップクリーム
2009256616.tif 000071
【０１８７】
Ａ：成分１〜８を加熱混合した。
Ｂ：成分９〜１６及び１８を加熱溶解した。
Ｃ：攪拌下、ＡにＢを徐添して乳化した後、成分１７を添加してカプセルに充填し、リップクリームを得た。
以上のようにして得られた固形状の油中水型リップクリームは、のび広がりが軽くてべたつきや油っぽさがなく、しっとりとしてみずみずしく、さっぱりとした使用感を与えた。また、経時変化がなく、安定性にも優れている事が確認された。
【０１８８】
実施例２７：乳液
2009256616.tif 000072
【０１８９】
（製造方法）
Ａ：成分１〜７を加熱混合した。
Ｂ：成分８〜１０及び１２を加熱溶解した。
Ｃ：攪拌下、ＡにＢを徐添して乳化し、冷却した後成分１１を添加する事によって乳液を得た。
以上のようにして得られた乳液は、キメが細かい上、のび広がりが軽くてべたつきや油っぽさがなく、しっとりとしてみずみずしいさっぱりとした使用感を与えた。また、経時変化がなく、安定性にも優れている事が確認された。
【０１９０】
実施例２８：日焼け止めクリーム
2009256616.tif 000073
【０１９１】
（製造方法）
Ａ：成分１〜５を混合した。
Ｂ：成分６〜８及び１０を混合した。
Ｃ：攪拌下、ＡにＢを徐添して乳化し、冷却した後成分９を添加することによって日焼け止めクリームを得た。
以上のようにして得られた日焼け止めクリームは、キメが細かい上、のび広がりが軽く、またしっとりとしてみずみずしい上油っぽさやべたつきがなく、使用性が非常に良い事が分かった。更に、耐水性や耐汗性に優れて化粧持ちが良く、紫外線防止効果も持続される上、経時変化がなく、安定性にも優れている事が確認された。
【０１９２】
実施例２９：脱臭剤
2009256616.tif 000074
【０１９３】
（製造方法）
Ａ：成分１〜３を混合した。
Ｂ：成分５を４に溶解し、成分６〜９を混合した。
Ｃ：Ａを激しく攪拌しながらＢを加えて乳化した。
Ｄ：エアゾール缶にＣを６５ｇ、噴射剤（ｎ−ブタン、イソブタン、プロパン混合物）３５ｇを加え、脱臭剤を得た。
以上のようにして得られた脱臭剤は、高濃度に使用してもたれることがないだけでなく、べたつきもなく、さらっとしていて、しかも効果の持続する非常に優れた使用性を有している事が分かった。また、経時変化がなく、安定性にも優れている事が確認された。
【０１９４】
実施例３０：洗い流しタイプパック化粧料
2009256616.tif 000075
【０１９５】
（製造方法）
Ａ：成分１〜２及び８を混合した。
Ｂ：成分４〜７及び９を均一混合した後、成分３を混合攪拌した。
Ｃ：ＢにＡを添加し乳化させ、ペースト状の洗い流しタイプのパック化粧料を得た。
以上のようにして得られた洗い流しタイプのパック化粧料は、塗布時ののび広がりが軽い上、洗浄効果に優れ、洗い流した後はしっとりとしてべたつきがなく、肌がつるつるとした感触となる非常に優れた使用感を持つだけでなく、経時変化がなく、安定性にも優れている事が確認された。
【０１９６】
実施例３１：ロールオンタイプ制汗剤
2009256616.tif 000076
（注１）ＫＳＧ−２１（信越化学工業(株)社製）
（注２）ＫＳＧ−１５（信越化学工業(株)社製）
【０１９７】
（製造方法）
Ａ：成分１〜６を混合した。
Ｂ：Ａに成分７〜９を加え、均一に分散した。
以上のようにして得られたロールオンタイプの制汗剤は、のびが軽く、清涼感があってさっぱりとして、べたつきや油感はなかった。また、経時変化がなく、安定性にも優れている事が確認された。
【０１９８】
実施例３２：制汗剤
2009256616.tif 000077
【０１９９】
（製造方法）
Ａ：成分１、２を混合した。
Ｂ：成分４を５に溶解し、成分３を加えた。
Ｃ：攪拌下、ＡにＢを徐添して乳化し、制汗剤を得た。
以上のようにして得られた制汗剤は、のび広がりが軽くてべたつきや油っぽさが無い上、あまり白くならず、さっぱりとした使用感を与えると共に、温度や経時による変化がなく安定性にも優れている事が確認された。
【０２００】
実施例３３：アイライナー
2009256616.tif 000078
（注１）TMF−１．５（信越化学工業(株)社製）
（注２）ＫＦ−７３１２T（信越化学工業(株)社製)
（注３）黒酸化鉄 ４０％，ＫＰ−５７４(信越化学工業(株)社製) １０％，デカメチルシクロペンタシロキサン ５０％をビーズミルにて分散させた分散物
【０２０１】
（製造方法）
Ａ：成分１〜４を混合し、成分５を加えて均一に混合分散した。
Ｂ：成分６〜９を混合した。
Ｃ：ＢをＡに徐添して乳化し、アイライナーを得た。
以上のようにして得られたアイライナーは、のびが軽くて描きやすく、清涼感があってさっぱりとし、更にベタツキが無い使用感であった。また、温度変化や経時による変化もなく、使用性も安定性も非常に優れており、耐水性、耐汗性に優れることはもとより、化粧持ちも非常に良いことが確認された。
【０２０２】
実施例３４：クリームアイシャドウ
2009256616.tif 000079
（注１）ＫＦ−９９０９(信越化学工業(株)社製)３ｇをイソプロピルアルコールに溶解し、各粉体９７ｇを加えて分散させ、溶媒を留去して得られた処理粉体
【０２０３】
（製造方法）
Ａ：成分１〜４を混合し、成分５〜７を添加して均一に分散した。
Ｂ：成分８〜１０及び１２を均一溶解した。
Ｃ：攪拌下、ＡにＢを徐添して乳化し、成分１１を添加してアイシャドウを得た。
以上のようにしてえられたクリームアイシャドウは、のび広がりが軽い上、油っぽさや粉っぽさがなく、みずみずしく、さっぱりとした使用感を与えると共に、耐水性や撥水性、耐汗性が良好で持ちも良く、化粧崩れしにくい上、温度変化や経時による変化がなく、安定性にも優れていることが分かった。
【０２０４】
実施例３５：アイライナー
2009256616.tif 000080
（注１）ＫＦ−６０３８（信越化学工業(株)社製）
（注２）ＫＰ−５４５（信越化学工業(株)社製）
（注３）KF−９９０９（信越化学工業(株)社製）２ｇをイソプロピルアルコールに溶解し、黒酸化鉄９８ｇを加えて分散させ、溶媒を留去し得られたシリコーン処理黒酸化鉄
【０２０５】
（製造方法）
Ａ：成分１〜６を加温混合し、成分７を添加して均一に分散した。
Ｂ：成分８〜１０加温溶解した。
Ｃ：攪拌下、ＡにＢを徐添して乳化し、アイライナーを得た。
以上のようにしてえられたアイライナーは、のびが軽くて油っぽさや粉っぽさがない上、みずみずしくさっぱりとした使用感を与えると共に、耐水性や撥水性、耐汗性が良好で持ちも良く、化粧崩れしにくい上、温度変化や経時による変化がなく、安定性にも優れていることが分かった。
【０２０６】
実施例３６：Ｗ／Ｏハンドクリーム
2009256616.tif 000081
（注１）アミン当量７０，０００ｇ／モル
【０２０７】
（製造方法）
Ａ：成分１、３を加熱混合し、成分２、４、５、６および１０を加熱添加した。
Ｂ：成分７〜９及び１２を加熱混合した。
Ｃ：ＢをＡに徐添して乳化した後冷却し、成分１１を加えてハンドクリームを得た。
以上のようにして得られたハンドクリームはべたつきがなく、伸び広がりも軽く、しかもしっとりとした使用感を有し、水仕事から効果的に皮膚を保護し、また、経時変化がなく、安定性にも優れている事が確認された。
【０２０８】
実施例３７：Ｗ／Ｏ／Ｗ型クリーム
2009256616.tif 000082
（注１）KSG−２１０（信越化学工業(株)社製）
（注２）KSG−４４（信越化学工業(株)社製）
【０２０９】
（製造方法）
Ａ：成分８〜１０を混合した。
Ｂ：成分１〜７を混合し、Aに加えて攪拌乳化した。
Ｃ：成分１１〜１３及び１５を混合し、Bを攪拌下、添加して乳化した。
D：Cに成分１４を加えて均一にした。
以上のようにして得られたクリームは、のびが軽くさっぱりとして、べたつきや油感がなく、透明感があり化粧持ちが良いものであった。なく、また、温度や経時による変化もなく、使用性も安定性も非常に優れているW／O／W型クリームであった。
【０２１０】
実施例３８：非水エマルション
2009256616.tif 000083
（注１）ＫＳＧ−１５（信越化学工業(株)社製）
（注２）ＫＳＧ−４３（信越化学工業(株)社製）
【０２１１】
（製造方法）
Ａ：成分１〜６を均一に混合した。
Ｂ：成分７をＡに加え均一に乳化した。
以上のようにして得られた非水エマルションは、のび広がりが軽くてべたつきや油っぽさがなく、後肌のしっとりした、安定性の良い非水エマルションであった。
【０２１２】
実施例３９：Ｏ/Ｗ型サンカット乳液
2009256616.tif 000084
（注１）ＫＰ−５４５(信越化学工業(株)社製)
（注２）（実施例Ｖ）１０ｇをデカメチルシクロペンタシロキサン５０ｇに溶解し、それに酸化チタン（ＭＴ−１００ＴＶ、テイカ(株)社製）４０ｇを分散させて得られた酸化チタン分散物。
（注３）酸化亜鉛分散物；（実施例ＶＩＩ）８ｇをデカメチルシクロペンタシロキサン４２ｇに溶解し、それに酸化亜鉛（ＭＺ５０５Ｓ、テイカ(株)社製）５０ｇを分散させて得られた酸化亜鉛分散物。
（注４）ポリエーテル変性シリコーン；ＫＦ−６０１１Ｐ(信越化学工業(株)社製)
（注５）ポリエーテル変性シリコーン；ＫＦ−６０１３Ｐ(信越化学工業(株)社製)
【０２１３】
（製造方法）
Ａ：成分７〜１１を均一に混合した。
Ｂ：成分１〜６を均一に混合分散し、Ａに加え乳化しサンカット乳液を得た。
以上のようにして得られたサンカット乳液は、キメが細かく、のび広がりが軽く、ベタツキがない上しっとりとしてみずみずしく、化粧持ちも良いため、紫外線防止効果も持続し、また、温度変化や経時による変化がなく、非常に安定性に優れていることが分かった。
【０２１４】
実施例４０：Ｏ／Ｗ／Ｏ型乳液
2009256616.tif 000085
（注１）ＫＳＧ−８１０（信越化学工業(株)社製）
（注２）ＫＳＧ−４１（信越化学工業(株)社製）
【０２１５】
（製造方法）
A：成分１〜４を均一に混合した。
B：成分５〜９を加熱混合し、均一にした。
Ｃ：成分１０〜１２を加熱混合した。
Ｄ：Ｂを攪拌しながらＣを加えて乳化し、冷却した。
Ｅ：Ａを攪拌しながらＤを加えて乳化した。
以上のようにして得られた乳液は、のびが軽くさっぱりとして、べたつきや油感がなく、透明感があり化粧持ちが良く、温度や経時による変化もなく、使用性も安定性も非常に優れているＯ／Ｗ／Ｏ型乳液であった。
【０２１６】
実施例４１：パウダーファンデーション
2009256616.tif 000086
（注１）ＫＳＧ−４４（信越化学工業(株)社製）
（注２）シリコーン（実施例Ｖ）３ｇをイソプロピルアルコールに溶解し、各粉体９７ｇを加えて分散させ、溶媒を留去して得られた処理粉体
（注３）KF−９９０９(信越化学工業(株)社製)２ｇをイソプロピルアルコールに溶解し、各粉体９８ｇを加えて分散させ、溶媒を留去し得られた処理粉体
（注４）ＫＳＰ−３００（信越化学工業(株)社製）
（注５）ＫＭＰ−５９０（信越化学工業(株)社製）
【０２１７】
（製造方法）
A：成分４〜１３を混合、均一にした。
B：成分１〜３を均一に混合し、Ａに加えて均一にした。
Ｃ：Ｂに成分１４を添加し、金型にプレス成型してパウダーファンデーションを得た。
以上のようにして得られたパウダーファンデーションは、ベタツキがなくのび広がりも軽いものであった。また、密着感に優れ、おさまりも良く、つやのある仕上がりが得られるパウダーファンデーションであることが確認された。
【０２１８】
実施例４２：クリームファンデーション
2009256616.tif 000087
（注１）ＫＳＧ−２１０（信越化学工業(株)社製）
（注２）ＫＳＧ−４３（信越化学工業(株)社製）
（注３）ＫＳＰ−２００（信越化学工業(株)社製）
（注４）KF−９９０９(信越化学工業(株)社製)２ｇをイソプロピルアルコールに溶解し、顔料９８ｇを加えて分散させ、溶媒を留去し得られた処理顔料
（注５）ＫＰ−５４５（信越化学工業(株)社製）
【０２１９】
（製造方法）
A：成分１〜７を混合した。
B：成分１０〜１４を混合溶解し、Ａに加えて攪拌乳化した。
Ｃ：成分８〜９を混合し、Ｂに加えて均一にした。
以上のようにして得られたクリームファンデーションは、ベタツキがなくのび広がりも軽いものであった。また、密着感に優れ、おさまりも良く、マット感のある仕上がりが得られるクリームファンデーションであることが確認された。
【０２２０】
実施例４３：Ｗ／Ｏ型コンパクトファンデーション
2009256616.tif 000088
（注１）ＫＳＧ−４１（信越化学工業(株)社製）
（注２）ＫＳＧ−３３０（信越化学工業(株)社製）
（注３）ＡＥＳ−３０８３(信越化学工業(株)社製)２ｇをイソプロピルアルコールに溶解し、顔料９８ｇを加えて分散させ、溶媒を留去し得られた処理顔料
【０２２１】
（製造方法）
A：成分１〜８を加熱混合した。
B：成分９〜１３を混合均一にした。
Ｃ：成分１４〜１５を混合し、Ｂを加えて均一にし、加温した。
Ｄ：ＣをＡに加えて乳化した。
以上のようにして得られたコンパクトファンデーションは、油剤が多いにも関わらず、油っぽさやベタツキがなく、のび広がりも軽く、さっぱりとした使用性を持つものであった。また、密着感に優れ、おさまりも良く、化粧もちに優れたＷ／Ｏ型コンパクトファンデーションであることが確認された。
【産業上の利用可能性】
【０２２２】
以上詳述したように、グリセリン変性シリコーンは親水性が高く、且つ調製が容易である。該シリコーンを配合した本発明の化粧料は、しっとりした肌触りでありながらべたつかず軽い感触を持ち、且つ、肌にきしみ感を与えることが無い上、安定性にも優れる。